(57)【要約】【課題】キーコードの変更操作時に可変タンブラー部材が所定のタンブラーピン孔へ的確に移動するため、目的とするキーコードの変更が常に正しく行われる可変コード型シリンダー錠を提供する。【解決手段】キーコードを変更するとき、チェンジキーＣＫの形状に応じて可変タンブラー部材９がドライバーピン孔３に押し込まれた後、バネ５の作用によってタンブラーピン孔７内に移動する可変コード型シリンダー錠において、可変タンブラー部材９を互いに点接触して並列に配置される複数の小球体１０によって構成し、小球体１０の外周をドライバーピン孔３またはタンブラーピン孔７の内周面に点接触させる。【選択図】　図３
2004137672.tif 000002
【特許請求の範囲】
【請求項１】
筒形状のハウジング１にローター２を回転可能に嵌挿し、該ハウジング１にローター２の外周面に向かって開口する複数のドライバーピン孔３を半径方向に設け、該ドライバーピン孔３にドライバーピン４とドライバーピン４をローター２の方向に付勢するバネ５を挿入し、ローター２に軸方向に沿って個別キーＫまたはチェンジキーＣＫが挿入される鍵孔６を設け、ドライバーピン孔３に対応する部位に鍵孔６に向かって開口する複数のタンブラーピン孔７をローター２に半径方向に設け、少なくとも一つのタンブラーピン孔７については、タンブラーピン８と可変タンブラー部材９を挿入する一方、それ以外のタンブラーピン孔７についてはタンブラーピン８だけを挿入してあり、キーコードを変更するとき、チェンジキーＣＫの形状に応じて可変タンブラー部材９がドライバーピン孔３に押し込まれた後、バネ５の作用によってタンブラーピン孔７内に移動する可変コード型シリンダー錠において、
前記可変タンブラー部材９を互いに点接触して並列に配置される複数の小球体１０によって構成し、小球体１０の外周をドライバーピン孔３またはタンブラーピン孔７の内周面に点接触させたことを特徴とする可変コード型シリンダー錠。
【発明の詳細な説明】
【０００１】
【発明の属する技術分野】本発明は、キーコードを変更することができる可変コード型シリンダー錠の改良に関するものである。
【０００２】
【従来の技術】特定のキーコードを割り当てられた個別キーが盗難にあったり、紛失してしまったとき、あるいはキーコードを知っている従業員が退職したときには、個別キーを盗んだ者や個別キーを拾得した者、あるいはキーコードに基づいて複製した個別キーを有する者によってシリンダー錠が不正に解錠されてしまい、室内に侵入されたり、管理された機器類にアクセスされる危険性がある。この危険性を除去するには、シリンダー錠を別のキーコードが割り当てられている新しいものと取り替える必要がある。
【０００３】
しかしながら、機器や扉に装着されているシリンダー錠を取り替えることは非常に作業が煩雑であり、また、無駄な費用がかかるので望ましくない。この問題を解決するために、キーコードを変更できる可変コード型シリンダー錠が従来から知られている（例えば、特許文献１参照）。
従来の可変コード型シリンダー錠では、筒形状のハウジングにローターを回転可能に嵌挿し、該ハウジングにローターの外周面に向かって開口する複数のドライバーピン孔を半径方向に設け、該ドライバーピン孔にドライバーピンとドライバーピンをローターの方向に付勢するバネを挿入し、ローターに軸方向に沿って個別キーまたはチェンジキーが挿入される鍵孔を設け、ドライバーピン孔に対応する部位に鍵孔に向かって開口する複数のタンブラーピン孔をローターに半径方向に設け、少なくとも一つのタンブラーピン孔については、タンブラーピンと可変タンブラー部材を挿入する一方、それ以外のタンブラーピン孔についてはタンブラーピンだけを挿入してあり、キーコードを変更するとき、チェンジキーＣＫの形状に応じて可変タンブラー部材がドライバーピン孔に押し込まれた後、バネの作用によってタンブラーピン孔内に移動する。
【０００４】
個別キーには、鍵孔に所定長さまで完全に挿入されたとき、各タンブラーピンの内端面が接触する箇所に凹部（いわゆる鍵山の谷部に当たる）を形成してあり、この凹部は各タンブラーピンの長さに応じた深さを有する。個別キーの該凹部によってタンブラーピンの内端面がそれぞれの所定長さ分だけハウジング側に押されるため、ドライバーピンの内端面がローターの外周面よりなるシャーラインに一致し、ハウジングに対するローターの回転拘束が解除される。
【０００５】
このように構成される可変コード型シリンダー錠では、しばしばキーコードの変更が所期の通りに正しく実行されないという問題がある。
本発明者がこの問題の発生過程を分析したところ、可変タンブラー部材が実寸法で厚さ約１ミリメートル程度の円盤状ピンで構成されているため、ローターにテンションを加えつつチェンジキーを鍵孔に挿入して回転操作すると、ドライバーピン孔からタンブラーピン孔に移動しようとする円盤状ピンがタンブラーピン孔の開口部エッジに引っ掛かってしまい、ここでローターが少しでも回転すると、円盤状ピンがハウジングに向かって弾かれてドライバーピン孔内に残留してしまい、そのような状態でローターをチェンジ位置まで回転させると、円盤状ピンよりなる可変タンブラー部材の厚さ分だけドライバーピンが不正規にタンブラーピン孔内に入り込んでしまうことが原因していた。
【０００６】
【特許文献１】
特許第２５６８６５３号公報（１頁から２頁、図６）
【発明が解決しようとする課題】本発明の課題は、キーコードの変更操作時に可変タンブラー部材が所定のタンブラーピン孔へ的確に移動するため、目的とするキーコードの変更が常に正しく行われる可変コード型シリンダー錠を提供することである。
【０００７】
【課題を解決するための手段】添付図面中の参照符号を用いて説明すると、本発明の特徴とするところは、筒形状のハウジング１にローター２を回転可能に嵌挿し、該ハウジング１にローター２の外周面に向かって開口する複数のドライバーピン孔３を半径方向に設け、該ドライバーピン孔３にドライバーピン４とドライバーピン４をローター２の方向に付勢するバネ５を挿入し、ローター２に軸方向に沿って個別キーＫまたはチェンジキーＣＫが挿入される鍵孔６を設け、ドライバーピン孔３に対応する部位に鍵孔６に向かって開口する複数のタンブラーピン孔７をローター２に半径方向に設け、少なくとも一つのタンブラーピン孔７については、タンブラーピン８と可変タンブラー部材９を挿入する一方、それ以外のタンブラーピン孔７についてはタンブラーピン８だけを挿入してあり、キーコードを変更するとき、チェンジキーＣＫの形状に応じて可変タンブラー部材９がドライバーピン孔３に押し込まれた後、バネ５の作用によってタンブラーピン７内に移動する可変コード型シリンダー錠において、
前記可変タンブラー部材９を互いに点接触して並列に配置される複数の小球体１０によって構成し、小球体１０の外周をドライバーピン孔３またはタンブラーピン孔７の内周面に点接触させたことである。
【０００８】
【発明の作用】本発明では、チェンジキーＣＫを使用してキーコードを変更操作するとき、ローター２にテンションを加えつつチェンジキーＣＫを鍵孔６に挿入して回転操作したことによって、タンブラーピン孔７の開口部エッジに可変タンブラー部材９が引っ掛かっても、この可変タンブラー部材９は小球体１０の集合体であるから、開口部エッジに掛合した小球体１０以外の小球体１０のどれかが先にタンブラーピン孔７に落ち込み、その後残りの小球体１０も脱落した小球体１０の空所を埋めるように移動して、タンブラーピン孔７にゾロゾロ流れ落ちるため、可変タンブラー部材９の移動が確実に実行される。
【０００９】
【発明の実施の形態】図示の実施例では、可変タンブラー部材９はステンレス製の４個の小球体１０によって構成されている。これら４個の小球体１０はその内周の一点において互いに点接触しており、それぞれ外周の一点においてタンブラーピン孔７またはドライバーピン孔３の内周面に点接触している。
【００１０】
図５に示した可変コード型シリンダー錠では、同一横断面においてハウジング１に４個のドライバーピン孔３が形成され、各ドライバーピン孔３にドライバーピン４とその付勢用バネ５が挿入され、ドライバーピン孔３の外周側開口部はバネ押さえ部材１１によって閉塞されている。前記４個のドライバーピン孔３と同一断面において２個のタンブラーピン孔７がローター２に形成されており、一方のタンブラーピン孔７は鍵孔６の平坦な腹面に開口し、他方のタンブラーピン孔７は鍵孔６の稜線角部に開口している。
両方のタンブラーピン孔７には、バネで付勢されたドライバーピン４の内端部が入り込んでおり、これによってローター２がハウジング１に対して回転不能に拘束され、施錠状態にある。
【００１１】
チェンジ部３番コードに加工設定されている個別キーＫ１を図６に示したように鍵孔６に挿入すると、一方のタンブラーピン孔７においては、個別キーＫ１に押されたタンブラーピン８によってドライバーピン４がハウジング１に向かって押し戻され、個別キーＫ１が所定長さまで完全に挿入されたとき、ドライバーピン４の内端面はローター２の外周面よりなるシャーライン上に来る。
【００１２】
また、他方のタンブラーピン孔７においては、個別キーＫ１に押されたタンブラーピン８及び可変タンブラー部材９によってドライバーピン４がハウジング１に向かって押し戻され、個別キーＫ１が所定長さまで完全に挿入されたとき、ドライバーピン４の内端面はローター２の外周面よりなるシャーライン上に来る。
これによってハウジング１に対するローター２の回転拘束が解除されるため、図７に示したように個別キーＫ１によってローター２を時計回り方向に４５度回すと、ローター２は解錠位置に来る。
【００１３】
個別キーＫ１を紛失等したため、シリンダー錠のキーコードを変更したいときには、図８に示したようにチェンジキーＣＫ１を鍵孔６に挿入する。チェンジキーＣＫ１の挿入によって、一方のタンブラーピン孔７においては、チェンジキーＣＫ１に押されたタンブラーピン８によってドライバーピン４がハウジング１に向かって押し戻され、チェンジキーＣＫ１が所定長さまで完全に挿入されたときには、当該ドライバーピン４の内端面はローター２の外周面よりなるシャーライン上に来る。
【００１４】
また、他方のタンブラーピン孔７においては、チェンジキーＣＫ１に押されたタンブラーピン８及び可変タンブラー部材９によってドライバーピン４がハウジング１に向かって押し戻され、チェンジキーＣＫ１が所定長さまで完全に挿入されたとき、ドライバーピン４の内端面はローター２の外周面よりなるシャーライン上に来る。
【００１５】
これによってハウジング１に対するローター２の回転拘束が解除されるため、図９に示したようにチェンジキーＣＫ１によってローター２を反時計回り方向に４５度回すと、ローター２はチェンジ位置に来る。
このとき、各ピンタンブラーピン孔７はそれぞれ別のドライバーピン孔３に対面している。
【００１６】
このチェンジ位置においてチェンジキーＣＫ１を鍵孔６から抜き取ると、図１０に示したように一方のタンブラーピン孔７には、前記した別のドライバーピン孔３に待機していたドライバーピン４がバネ５に押されて入り込む。また、他方のタンブラーピン孔７には、同様に別のドライバーピン孔３に待機していたドライバーピン４が可変タンブラー部材９を押しながら入り込む。
この段階で目的とするキーコードに加工された別の個別キーＫ２を鍵孔６に挿入して４５度時計回り方向にローター２を回すと、図１１に示したように別のキーコードが適用されるシリンダー錠に変更され、可変タンブラー部材９はドライバーピン孔３に送り込まれている。
【００１７】
チェンジ部ゼロ番コードに設定されている前記個別キーＫ２を図１２に示したように鍵孔６に挿入すると、二つのタンブラーピン孔７において、個別キーＫ２に押されたタンブラーピン８によってドライバーピン４がハウジング１に向かって押し戻され、個別キーＫ２が所定長さまで完全に挿入されたとき、各ドライバーピン４の内端面はローター２の外周面よりなるシャーライン上に来る。
これによってハウジング１に対するローター２の回転拘束が解除されるため、図１３に示したように個別キーＫ２によってローター２を時計回り方向に４５度回すと、ローター２は解錠位置に来る。
【００１８】
個別キーＫ２を盗まれた等したため、シリンダー錠のキーコードを変更したいときには、図１４に示したように別のチェンジキーＣＫ２を鍵孔６に挿入する。チェンジキーＣＫ２の挿入によって、二つのタンブラーピン孔７において、チェンジキーＣＫ２に押されたタンブラーピン８によってドライバーピン４がハウジング１に向かって押し戻され、チェンジキーＣＫ２が所定長さまで完全に挿入されたときには、各ドライバーピン４の内端面はローター２の外周面よりなるシャーライン上に来る。
これによってハウジング１に対するローター２の回転拘束が解除されるため、図１５に示したようにチェンジキーＣＫ２によってローター２を反時計回り方向に４５度回すと、ローター２はチェンジ位置に来る。
このとき、各ピンタンブラーピン孔７はそれぞれ別のドライバーピン孔３に対面している。
【００１９】
このチェンジ位置においてチェンジキーＣＫ２を鍵孔６から抜き取ると、図１６に示したように一方のタンブラーピン孔７には、前記した別のドライバーピン孔３に待機していたドライバーピン４がバネ５に押されて入り込む。また、他方のタンブラーピン孔７には、別のドライバーピン孔３に待機していたドライバーピン４と可変タンブラー部材９が入り込む。
この段階で目的とするキーコードに加工された別の個別キーＫを鍵孔６に挿入して４５度時計回り方向にローター２を回すと、当該別のキーコードが適用されるシリンダー錠に変更される。
【００２０】
図１７に示したように前記個別キーＫ２を使用するようにキーコードが変更されたシリンダー錠の鍵孔６に対して、キーコードが不一致の個別キーＫ１を挿入すると、一本のドライバーピン４がタンブラーピン孔７に入り込んでしまうため、ハウジング１に対するローター２の回転拘束は解除されず、個別キーＫ１の使用が拒絶される。
【００２１】
図１８は全てのキーコードのシリンダー錠に使用されるマスターキーＭＫを示し、図１９はチェンジキーＣＫの一例を示し、図２０は個別キーＫの一例を示している。
【００２２】
【発明の効果】本発明の可変コード型シリンダー錠では、ドライバーピン４とタンブラーピン８の間に挿入される可変タンブラー部材９を、互いに点接触して並列に配置される複数の小球体１０によって構成し、小球体１０の外周をドライバーピン孔３またはタンブラーピン孔７の内周面に点接触させたので、チェンジキーＣＫを挿入回転してキーコードを変更するとき、可変タンブラー部材９が滑らかに確実にタンブラーピン孔７またはドライバーピン孔３内に移動し、所期のコード変更を常に正しく実行することができる。
また、上記構成により、小球体１０の集合体である可変タンブラー部材９は、適用するチェンジキーＣＫの形状に応じてハウジング１のドライバーピン孔３とローター２のタンブラーピン孔７の間を行き来することができるから、例えば仕舞い忘れていた個別キーＫを発見したときなどには、旧キーコードに容易に復帰させることもできる。
【図面の簡単な説明】
【図１】本発明の一実施例に係る可変コード型シリンダー錠の正面図である。
【図２】図１のシリンダー錠の平面図である。
【図３】図１のＡ−Ａ線断面図である。
【図４】図３のＢ−Ｂ線断面図である。
【図５】特定の個別キーＫ１を使用するように設定されたシリンダー錠の施錠状態の断面図であり、図面の簡略化のためバネの表示を省略してある。
【図６】図５のシリンダー錠に個別キーＫ１を挿入した状態の断面図であり、図面の簡略化のためバネの表示を省略してある。
【図７】図６の状態から個別キーＫ１によってローターを時計回り方向に４５度回転させて、解錠状態にしたときの断面図であり、図面の簡略化のためバネの表示を省略してある。
【図８】図５のシリンダー錠にチェンジキーＣＫ１を挿入した状態の断面図であり、図面の簡略化のためバネの表示を省略してある。
【図９】図８の状態からチェンジキーＣＫ１によってローターを反時計回り方向に４５度回転させて、チェンジ位置に置いたときの断面図であり、図面の簡略化のためバネの表示を省略してある。
【図１０】図９のチェンジ位置においてチェンジキーＣＫ１を抜き取ったときの断面図であり、図面の簡略化のためバネの表示を省略してある。
【図１１】別の個別キーＫ２を使用するように設定されたシリンダー錠の施錠状態の断面図であり、図面の簡略化のためバネの表示を省略してある。
【図１２】図１１のシリンダー錠に個別キーＫ２を挿入した状態の断面図であり、図面の簡略化のためバネの表示を省略してある。
【図１３】図１１の状態から個別キーＫ２によってローターを時計回り方向に４５度回転させて、解錠状態にしたときの断面図であり、図面の簡略化のためバネの表示を省略してある。
【図１４】図１１のシリンダー錠に別のチェンジキーＣＫ２を挿入した状態の断面図であり、図面の簡略化のためバネの表示を省略してある。
【図１５】図１１の状態からチェンジキーＣＫ２によってローターを反時計回り方向に４５度回転させて、チェンジ位置に置いたときの断面図であり、図面の簡略化のためバネの表示を省略してある。
【図１６】図１５のチェンジ位置においてチェンジキーＣＫ２を抜き取ったときの断面図であり、図面の簡略化のためバネの表示を省略してある。
【図１７】個別キーＫ２を使用するようにキーコードが変更されたシリンダー錠にキーコードが不一致の個別キーＫ１を挿入したときの断面図であり、図面の簡略化のためバネの表示を省略してある。
【図１８】全てのキーコードのシリンダー錠に使用されるマスターキーＭＫの正面図である。
【図１９】チェンジキーＣＫの一例を示す正面図である。
【図２０】個別キーＫの一例を示す正面図である。
【符号の説明】
１　ハウジング
２　ローター
３　ドライバーピン孔
４　ドライバーピン
５　バネ
６　鍵孔
７　タンブラーピン孔
８　タンブラーピン
９　可変タンブラー部材
１０　小球体
１１　バネ押さえ部材
Ｋ　個別キー
ＣＫ　チェンジキー
【図１】
2004137672.tif 000003
【図２】
2004137672.tif 000004
【図３】
2004137672.tif 000005
【図４】
2004137672.tif 000006
【図５】
2004137672.tif 000007
【図６】
2004137672.tif 000008
【図７】
2004137672.tif 000009
【図８】
2004137672.tif 000010
【図９】
2004137672.tif 000011
【図１０】
2004137672.tif 000012
【図１１】
2004137672.tif 000013
【図１２】
2004137672.tif 000014
【図１３】
2004137672.tif 000015
【図１４】
2004137672.tif 000016
【図１５】
2004137672.tif 000017
【図１６】
2004137672.tif 000018
【図１７】
2004137672.tif 000019
【図１８】
2004137672.tif 000020
【図１９】
2004137672.tif 000021
【図２０】
2004137672.tif 000022